Podtech/llm-jp-corpus-v4-ja_patent huggingface dataset:
(57)【要約】      （修正有）【課題】被工作物のストッパーを配置して使用しやすい構造の簡単な且つ天板の表裏面を使用できる工作台を提供する。【解決手段】長手方向の側面に結合する平板状の２枚の天板の対角線上に位置する２隅に盤爪を天板上に突出するように且つ高さを可変に設けることを特徴とする。カンナ掛などにおける工作時に被工作物が移動することなく容易に作業が出来る効果を有する。【選択図】図１
0003149824.tif 000002
【実用新案登録請求の範囲】
【請求項１】
棚板により前後左右の揺れを防止する少なくとも４本の脚で成る工作台基礎部の脚上に天板用梁を対向する辺部に載せ、該天板状梁に２枚の平板から成る天板を載せて成る工作台において、該天板の対角に当たる２隅の各々の側面に、高さを可変にするための調整用抜孔を設け止めネジにより固定される盤爪を設けることを特徴とする工作台。
【考案の詳細な説明】
【技術分野】
【０００１】  本考案は、学校等において使用する工作台の改良に関わるものである。
【背景技術】
【０００２】  学校等で使用される教師用或いは生徒用の各種工作台が知られているが、天板を表裏両面を利用できる工作台がなく、本考案出願人と同一出願人により、天板の両面を利用できる工作台が提案されているが、表裏両面を利用でき且つ盤爪を設けてなる天板を有する工作台は知られていない。
【先行技術文献】
【特許文献】
【０００３】  実登録３０２０５４８号公報
実登録３１１６８０８号公報
【考案の概要】
【考案が解決しようとする課題】
【０００４】  本考案は、表裏両面を利用でき且つ盤爪を設けて被工作物の移動を無くする盤爪を有する工作台を提供することを課題として為されたものである。
【課題を解決するための手段】
【０００５】  棚板により前後左右の揺れを防止する脚から成る工作台基礎部の脚上に天板用梁を対向する上辺部に載せ該天板用梁に２枚の平板から成る天板を載せ接合金具によって固定されて成る工作台の該天板の対角上に位置する２隅の側面に高さを調節できる盤爪を配置して被工作物の工作時の移動を防ぐことのできる工作台として課題を解決している。
【考案の効果】
【０００６】  本考案により、カンナ掛などにおける工作時に被工作物が移動することなく容易に作業が出来、目的を簡単な装備によって達成している固有の効果を有するものである。
【図面の簡単な説明】
【０００７】
【図１】  本考案の１実施例を示す斜視図である・
【図２】  同正面図である。
【図３】  同平面図である。
【図４】  同左側面図である。
【図５】  図３におけるＡ−Ａ断面図である。
【図６】  盤爪（甲）の正面図である。
【図７】  盤爪（乙）の正面図である・
【図８】  盤爪（甲）の取り付け状態図である・
【図９】  盤爪（乙）の取り付け状態図である。
【図１０】  盤爪（甲・乙）の取り付け側面図である・
【考案を実施するための形態】
【０００８】  以下、図面に示す実施例に従って本考案の実施態様について説明する。図１から図４に示す実施例に於いて、４本の脚１０を棚板（符号省略）により前後左右の揺れを止めて工作台基礎部１０とし、対向する脚１０の上辺部に天板用梁（符号省略）を載せて、この天板用梁上に長手方向の辺で結合させる２枚の天板１（甲）及び天板２（乙）を、接合金具９により着脱自在に固定し、天板１及び天板２の対角に位置する直交する２隅の側面に盤爪５（甲）及び盤爪６（乙）を天板１及び天板２の上面より突出するように設けてある。盤爪５及び盤爪６には、図６から図１０に示すように、それぞれ垂直方向に長くなっている盤爪調整抜孔７を穿ち盤爪調整抜孔７に盤爪止めネジ８を再込み天板１及び天板２の側面にネジ止めして着脱可能に固定できるようになっており、この盤爪調整抜孔７を移動させることで盤爪５及び盤爪６の天板上に突出する高さを加減して被工作物厚さに合わせ、被工作物の例えばカンナ掛け等の工作時における移動を防止するストッパーの役割を持たせてある。
盤爪５及び盤爪６はネジによって固定されているので、天板の使用面を取り替えることができるようになっている。また、盤爪の形状も図示の角形平板に限るものではなく半円形の形状でも構わないが、角形のものが実施し易いものとなる。
【０００９】  図５は、天板の結合状態を示すものであり、天板１及び天板２の側面に天板結合孔３を穿ち片側の天板結合孔３に天板結合ピン４を再込み、このピンと孔の嵌合により２枚の天板がその長手方向で隙間無く結合出来ることになるが、この結合方法はこの例の実施以外に片方の天板の位置側面に凸部を向け他の天板の側面に溝を設けて、この凹凸の結合でも２枚の天板を同一平面になるように合わせることが出来ることはもちろん可能であり、その選択は設計上の問題となる。
【産業上の利用可能性】
【００１０】  学校用工作台としてはある程度の大きさのものが要求されるが、上記実施例の小型のものでは一般の家庭で作業する際の加工台としても容易に使用することが出来る汎用性もある。
【符号の説明】
【００１１】１      天板  甲
２      天板  乙
３      天板結合孔
４      天板結合ピン
５      盤爪  甲
６      盤爪  乙
７      盤爪調整抜孔
８      盤爪止めネジ
９      接合金具
１０    工作台基礎部
【図１】
0003149824.tif 000003
【図２】
0003149824.tif 000004
【図３】
0003149824.tif 000005
【図４】
0003149824.tif 000006
【図５】
0003149824.tif 000007
【図６】
0003149824.tif 000008
【図７】
0003149824.tif 000009
【図８】
0003149824.tif 000010
【図９】
0003149824.tif 000011
【図１０】
0003149824.tif 000012
(57)【要約】      （修正有）【課題】飾り部品を履用者の好みに応じて取り替えできる靴を提供する。【解決手段】靴甲被２の甲前開口部の両辺や甲バンド３の端部に伸縮性のループ４を形成して、脚部を有する飾り部品を前記ループに挿入して、履用者の好みにカスタマイズすることができる靴を得る。伸縮性のループは、１本の伸縮性の紐でループを形成して、伸縮性の紐の両端部を甲被部材との間に挟着し、甲被部材と共に縫着する。飾り部品の脚部には、中央部に立設している筒状の支柱部と、支柱部よりも径の大きい台部とからなり、伸縮性のループに挿入して着脱を可能とする。【選択図】図１
0003149828.tif 000002
【実用新案登録請求の範囲】
【請求項１】
靴甲被に伸縮性のループを設けた靴であり、前記伸縮性のループは、１本の伸縮性の紐でループを形成し、前記紐の両端部を甲被部材との間に挟着し、甲被部材と共に縫着したことを特徴とする靴。  
【請求項２】
前記伸縮性のループは、靴甲被の甲バンドやハトメ飾りの端部に設けられていることを特徴とする請求項1記載の靴。
【請求項３】
前記伸縮性のループには、脚部を有する飾り部品が挿入されており、伸縮性のループにより飾り部品の着脱が可能であることを特徴とする請求項１または請求項２記載の靴。
【請求項４】
前記伸縮性のループに挿入した飾り部品は、飾り釦主部と、脚部とからなり、前記飾り釦主部は、座部に飾り釦が固着されており、前記脚部は、飾り釦主部の中央部に立設しており、筒状の支柱部と、支柱部よりも径の大きい台部とからなることを特徴とする請求項１〜請求項３のいずれか１項に記載の靴。
【考案の詳細な説明】
【技術分野】
【０００１】
本考案は、飾り部品を履用者の好みに応じて取替えができる靴に関するものである。
【背景技術】
【０００２】
特許文献１には、履物の甲部を樹脂で構成し、甲部に円形又は楕円形の穴を貫通し、飾り釦脚部を固定する履物が開示されている。 
特許文献２には、靴の踵部分に環状片に取り付けて、この環状片の環に着脱可能な環状部材と、この環状部材に掛けた装飾部材とを備えた靴用アクセサリが記載されている。
【先行技術文献】
【特許文献】
【０００３】
【特許文献１】実用新案登録第３１３５７３６号公報
【特許文献２】特開２００５−４６３７８号公報
【考案の概要】
【考案が解決しようとする課題】
【０００４】
特許文献１の履物は、飾り部品を取り付けるための穴を開けねばならず、甲被の素材も樹脂の為、デザインが限定され、甲被が布製の靴には不向きである。
また、飾り部品の脚部が履物内部に露出しているので、靴を履用した場合、足の爪を引っ掛けて怪我をするおそれもあった。
【０００５】
飾り部品の脚部が、足当たりしない構造の靴であって、しかも、飾り部品が任意の位置に取り付けられ、履用者の好みに応じて、飾り部品をカスタマイズできる靴を提供することが課題である。
【課題を解決するための手段】
【０００６】
本考案の靴は、靴甲被に伸縮性のループを設けた靴であり、前記伸縮性のループは、１本の伸縮性の紐でループを形成し、前記紐の両端部を甲被部材との間に挟着し、甲被部材と共に縫着したことを特徴とする。
【０００７】
前記伸縮性のループは、靴甲被の甲バンドやハトメ飾りの端部に設けられていることを特徴とする。
【０００８】
前記伸縮性のループには、脚部を有する飾り部品が挿入されており、伸縮性のループにより飾り部品の着脱が可能であることを特徴とする。
【０００９】
前記伸縮性のループに挿入した飾り部品は、飾り釦主部と、脚部とからなり、前記飾り釦主部は、座部に飾り釦が固着されており、前記脚部は、飾り釦主部の中央部に立設しており、筒状の支柱部と、支柱部よりも径の大きい台部とからなることを特徴とする。
【００１０】
本考案の靴に用いる伸縮性の紐は、その断面が円形又は楕円形であることが望ましい。飾り部品の脚部とのすべりがよく着脱がしやすいためである。
【００１１】
伸縮性ループの大きさは、飾り釦の脚部の支柱の径の大きさに応じて設定するとよい。
具体的な靴の実施例を図１に示す。
【考案の効果】
【００１２】
靴甲被に伸縮性のループを設けることにより、履用者の好みに応じて異なる種類の飾り釦を取りかえられるので、履用者がデザインをカスタマイズすることができる。  
【００１３】
飾り釦を取り付けるためのループが靴甲被の甲バンドやハトメ飾りの端部に設けられているので、飾り釦を取り付けるための穴を設ける必要がなく、素材の制限を受けず、デザインの制約がない。
【００１４】
また、飾り釦を取り付けるための穴を設ける必要がないので、靴内に異物が入ることもない。
【００１５】
さらに、飾り釦の脚部が靴内に露出しないので、足を怪我する危険性がない。
【図面の簡単な説明】
【００１６】
【図１】本考案の伸縮性のループを設けた靴の図
【図２】本考案の伸縮性のループに飾り部品を挿入した靴の図
【図３】飾り部品の拡大図
【図４】飾り部品を伸縮性のループに挿入したときの図
【図５】伸縮性のループをバンドの端部に設けた概略図
【図６】飾り部品をつけた公知の靴の図
【考案を実施するための形態】
【００１７】
本考案の実施例の靴について図面を参照して説明する。
図１は、本考案の靴において、甲被に伸縮性のループを設けた図である。ループは、ハトメ飾りと甲バンドの端部に設けている。
【００１８】
図２は、図1の靴において、甲被に設けた伸縮性のループに飾り部品を挿入した図である。
【００１９】
図３は、飾り部品の拡大図であり、飾り部品は、飾り釦主部と、脚部とからなり、脚部には円筒形の支柱部と、支柱部よりも径の大きい台部が設けられている。支柱は伸縮性のループが着脱し易いように円筒形になっている。
【００２０】
図４は、飾り部品を伸縮性のループに挿入したときの概略図であり、飾り部品を伸縮性のループに挿入した後はループの伸縮により、飾り部品が取れないようになっている。
【００２１】
図５は、伸縮性のループをバンドの端部に設けた概略図であり、伸縮性の紐を甲被材の間に挟着し、ループを形成し、紐を縫着したものである。
【符号の説明】
【００２２】
１．靴
２．甲被
３．甲バンド
４．伸縮性のループ
５．飾り釦主部
６．飾り釦
７．座部
８．脚部
９．支柱部  
１０．台部
１１．飾り部品
１２．甲被に設けた孔
１３．縫糸
【図１】
0003149828.tif 000003
【図２】
0003149828.tif 000004
【図３】
0003149828.tif 000005
【図４】
0003149828.tif 000006
【図５】
0003149828.tif 000007
【図６】
0003149828.tif 000008
(57)【要約】      （修正有）【課題】神棚等で祭ってきた飾台についても無駄を省き有効利用することができる鏡餅置台利用貯金箱を提供する。【解決手段】飾台付正月用鏡餅の飾台の上部に金銭投入口を設け、その飾台の下部を塞ぎ金銭を貯めることができるようにした鏡餅置台利用貯金箱である。神社に設置してある賽銭箱を念頭にいれ、飾台付鏡餅の飾台を貯金箱として利用することにより従来はゴミとして廃棄して来た飾台を有効利用することができる。【選択図】図１
0003149823.tif 000002
【実用新案登録請求の範囲】
【請求項１】
飾台付正月用鏡餅の飾台の上部に金銭投入口を設け、その飾台の下部を塞ぎ金銭を貯めることが出来ることとした、鏡餅置台利用貯金箱。
【考案の詳細な説明】
【技術分野】
【０００１】本考案は、正月が経過した後に既に使用しなくなった鏡餅置台を利用した貯金箱に関する。
【背景技術】
【０００２】従来は正月に神棚等に飾る鏡餅については、一般家庭では既成の飾り物を購入し神棚等に飾ってきて、正月が経過した後は、餅は餅として食し、飾りの鏡餅置台については適時廃棄してきた。
【考案の概要】
【考案が解決しようとする課題】
【０００３】以上に述べた従来の方法では、飾りの鏡餅置台については、ただゴミとなるのみであって何の役にも立たなかった。特に神棚に祭っておいた鏡餅について正月が経過した後にその鏡餅置台を廃棄することはただ無駄なことである。
【課題を解決するための手段】
【０００４】そして、本考案は鏡餅置台の上部に、金銭を投入する投入口を設けかつ鏡餅置台の底部に、紙等で塞ぎ投入した金銭が落下しないようにしたものである。
【考案の効果】
【０００５】神棚等に飾っておいた鏡餅置台を貯金箱として使用することにより、ゴミとなっていた鏡餅置台を再利用することができる。又神棚等に祭っておいた鏡餅置台であるので、貯金できた金銭で宝くじを購入した場合は購入者の心理的な願望に答えることができ、単なる貯金箱とは異なる効果を受けることができる。
【図面の簡単な説明】
【０００６】
【図１】本考案の実施形態を示す鏡餅置台利用貯金箱の側面図
【図２】本考案の鏡餅置台利用貯金箱の上面図
【図３】本考案の鏡餅置台利用貯金箱の底面図
【考案を実施するための形態】
【０００７】
【実施例】鏡餅置台利用貯金箱の上部の投入口より金銭を投入し、鏡餅置台の箱の部分に貯金する。
【産業上の利用可能性】
【０００８】飾台付正月用鏡餅の製造販売の産業において、その付加価値としての利用可能性が大である。
【図１】
0003149823.tif 000003
【図２】
0003149823.tif 000004
【図３】
0003149823.tif 000005
(57)【要約】【課題】人工照明を有する植物栽培装置において、外来光の積極的な利用がなされていなかったので、人工照明と外来光を併用活用する。【解決手段】人工照明をLEDとし、外来光の強度を検出する検出器をLED照明パネル内に複数個実装する事により、LED照明が点灯している場合には、一定周期で一定時間だけLEDを消灯し、その時の光検出器の出力がが所定の値より大きい場合には、光検出器がカバーする領域のLEDを消灯制御する。LED照明が消灯している場合には、光検出器出力が所定の値より小さくなった時、その光検出器がカバーするLEDを点灯制御する手段を導入した。【選択図】図１
0003149826.tif 000002
【実用新案登録請求の範囲】
【請求項１】
透明又は半透明の材料を用いて外部と隔絶する目的の閉空間を構成し,その閉空間に培地、培養液の給液設備及びLED間欠照明を有する植物栽培空間を構成し、各栽培空間に設置した外来光検出器からの信号が所定の値より大きい場合にLED間欠照明を消灯し、その逆の場合は点灯制御する植物栽培装置。
【請求項２】
最下段に根野菜を栽培する培地、それ以外の段には葉物野菜を栽培する培地を設けた多段構成の請求項１の植物栽培装置。
【請求項３】
培養液用水槽を各植物栽培空間毎に区分を施し、各区分内に水中ポンプ、液温検出器及びｐH検出器を有し、検出器の信号を制御部へ転送し、水中ポンプの運転・停止信号を制御部から転送制御される請求項１の植物栽培装置。
【請求項４】
家庭菜園を目的とした請求項１の小型植物栽培装置で、一定時間間隔毎に一定時間のみ給液を自動的に実施する植物栽培装置
【考案の詳細な説明】
【技術分野】
【０００１】
本考案は、上下に多段の植物栽培空間を構成し、各栽培空間の外来光の大小によりLED間欠照明を点灯・消灯制御する植物栽培装置に関するものである。
【背景技術】
【０００２】
各種照明設備を設置した多段構成の植物栽培装置は実用化試験に使用されている。しかし、これらの植物栽培装置には装置内に既設の人工照明を前提としている為、太陽光等の外来光を有効活用する機能が必要無かった。
また、装置周囲を外来光から遮断して、敷設の人工照明のみによる植物栽培を実施する事により、植物成長の安定化を図れ、且つ栽培植物品質の均一化が図れるものと期待されている。
【０００３】
しかし、太陽光等の外来光を利用せず、人工照明のみで植物を成長させるには、人工照明を常時点灯する為、その分の電力を消費するとともに、照明器具の寿命劣化を招来する欠点があった。
【先行技術文献】
【特許文献】
【０００４】
【特許文献１】特許公開２００７−１５９４１０
【非特許文献】
【０００５】
【非特許文献１】石渡正紀他「太陽光併用型の植物生長促進照明システム」松下電工技報（Vol.５５、NO.３）PP.６７−７２
【考案の概要】
【考案が解決しようとする課題】
【０００６】
解決しようとする問題点は、敷設した人工照明の消費電力の節約を図る事にある。
【課題を解決するための手段】
【０００７】
本考案は、ある一定時間間隔で、一定時間LED照明を消灯した時に、LED照明盤内に搭載した光強度検出器からの信号を制御部にて所定の光強度に対応する値と比較し、検出器からの信号の値が大きければ、検出器に対応する領域のLEDを消灯し、小さければ点灯する事によって消費電力の節約を図るものである。
【考案の効果】
【０００８】
本考案の植物栽培装置では、LED照明盤に複数個搭載された光強度検出器の出力信号が外来光の方向により変化する。従って、検出器近傍の領域に搭載されている赤色LED並びに青色LEDを外来光強度にに対応して点灯若しくは消灯する事により、植物への光照射のより細やかな管理が可能となる。
【図面の簡単な説明】
【０００９】
【図１】植物栽培装置の全体を示した説明図である。
【図２】植物栽培用装置類を示した説明図である。
【図３】LED照明基板を示した説明図である。
【図４】培地と給液に方法を示した説明図である。
【考案を実施するための形態】
【００１０】
複数の光強度検出器をLED照明基板に搭載し、一定時間間隔毎に且つ一定時間LED照明を消灯する事により外来光の強度を検出する事が出来る。この方法によりLED照明基板を検出器に対応して複数領域に分割し各領域に実装されたLEDを領域ごとに一括点灯又は消灯する事により、より細かい植物への照明管理を実施可能となった。
【実施例１】
【００１１】
図１は、本考案の全体を示す概念図である。透明材料を外部との隔壁として使う事により、太陽光が多段の植物栽培区域に照射され、この光を有効に活用可能となる。
【００１２】
図２は、内外部に設置された多段植物栽培に関る装置類を示す。即ち、多段植物栽培空間を提供する棚、各棚毎に分割された培養液用水槽及び各種検出器の信号処理とその結果により制御信号を送出する制御部である。
【００１３】
図３は、LED照明基板を示す。赤色並びに青色LEDを略均等に実装し、複数個の光検出器を配置し検出器の数量分の領域にLEDを分割する事により、点灯・消灯制御が細かく管理可能となる。
【００１４】
図４は、上段の棚の培地並びに給液の方法を示したものである。棚の給液の残り分を回収し、水槽へ戻し水槽内のポンプにより培養液が循環される。また、水槽内では、液温とｐHを検出する事により、栽培者が適宜最適な行動をとる事が可能となる。
【産業上の利用可能性】
【００１５】
外部のエネルギーを有効に活用する事により、植物栽培コストの低減を図る事が可能となる。
【図１】
0003149826.tif 000003
【図２】
0003149826.tif 000004
【図３】
0003149826.tif 000005
【図４】
0003149826.tif 000006
(57)【要約】      （修正有）【課題】携帯電話機や携帯音響機器等に接続使用するイヤホンとして、装飾性に優れて楽しく使用できるものを提供する。【解決手段】イヤホン本体３と、イヤホン本体３から延び出すコード４と、コード４端に取り付けられる小型端末機への接続のためのコネクタ８とを備えるイヤホンにおいて、イヤホン本体２および／またはコード４に、装飾用の発光を外部に露呈する発光部１０，１１が備えられ、コネクタ８を介して小型端末機から電源が供給されることで発光部１０，１１が発光するイヤホン。【選択図】図１
0003149821.tif 000002
【実用新案登録請求の範囲】
【請求項１】
イヤホン本体と、前記イヤホン本体から延び出すコードと、前記コード端に取り付けられる小型端末機への接続のためのコネクタと、を備えるイヤホンにおいて、
前記イヤホン本体および／または前記コードに、        発光を外部に露呈する発光部が備えられ、
前記コネクタを介して前記小型端末機から電源が供給されることで前記発光部が発光することを特徴とするイヤホン。
【請求項２】
前記発光部がＬＥＤ（発光ダイオード）により構成される請求項１記載のイヤホン。
【考案の詳細な説明】
【技術分野】
【０００１】    この考案は、携帯電話機や携帯音響機器等に接続使用するイヤホンに関する。
【背景技術】
【０００２】  携帯電話機や携帯音響機器にはイヤホンが接続使用され、種々デザインの異なるものが提供されている。
【考案の開示】
【考案が解決しようとする課題】
【０００３】  しかしながら、イヤホンの場合、通常イヤホン本体とコードとコネクタとからなり、その基本形態が限られるのでそこに積極的に装飾性を付加することは難しかった。【０００４】  この考案では、装飾性に優れて楽しく使用できるイヤホンを提供する。
【課題を解決するための手段】
【０００５】  この考案では、イヤホン本体と、前記イヤホン本体から延び出すコードと、前記コード端に取り付けられる小型端末機への接続のためのコネクタと、を備えるイヤホンにおいて、前記イヤホン本体および／または前記コードに、装飾用の発光を外部に露呈する発光部が備えられ、前記コネクタを介して前記小型端末機から電源が供給されることで前記発光部が発光することを特徴とするイヤホンを提供する。【０００６】  この考案のイヤホンは、イヤホン本体および／またはコードの発光部が発光して目立つことで、装飾性に優れるものとなる。発光部への電源は小型端末機にコネクタを接続することで自動的に供給される。発光部はたとえばＬＥＤ（発光ダイオード）を使用することで、コンパクトに、かつ、小型端末機の電池電源をあまり消耗することないように構成される。【０００７】
【考案の効果】
【０００８】  この考案によれば、装飾性に優れて楽しく使用できるイヤホンが得られ、このイヤホンは携帯電話機や携帯音響機器等にきわめて好適に用いられる。
【考案の実施形態】
【０００９】  図１はこの考案のイヤホンの外観斜視図である。イヤホン１はマイク機能付のステレオタイプのものであり、一対のイヤホン本体３、３それぞれと、イヤホン本体３、３それぞれから延び出すコード４、４と、それらコード４、４の端部が接続されるスイッチ６と、スイッチ体６から一本にまとめられて延び出すコード４端に取り付けられるコネクタ８とから構成される。上記スイッチ６の一部にマイク９が設けられている。
【００１０】  上記イヤホン本体３、３の外面部に発光部１０、１０のそれぞれが、コード４、４外面のイヤホン本体３、３に近い側に複数個の発光部１１、１１‥のそれぞれが設けられている。図２は発光部１０、発光部１１の配線構成を示す図である。発光部１０はイヤホン本体３の外面に集合配置される３個のＬＥＤ２０がカバー１３により覆われることで構成され、発光部１１のそれぞれはＬＥＤ２０それぞれがコード４表面に所定の間隔で取り付けられて構成されている。
【００１１】  コネクタ８には、音声信号端子１５にくわえてＬＥＤ２０それぞれの電源端子１７が一体に設けられており、コネクタ８が携帯電話機や携帯音響機器に接続された状態において、この電源端子１７を通して機器の電池からの電源がスイッチ６を介してそれぞれのＬＥＤ２０に与えられる。
【００１２】  スイッチ６の操作部により点灯操作することでＬＥＤ２０それぞれは所定のタイミングでＯＮ、ＯＦＦ作動され、これによりＬＥＤ２０それぞれは点滅発光を行う。このように、ＬＥＤ２０が点滅発光されることでイヤホン１はファッショナブルに目立ち、とくに、暗い空間で使用される場合にその装飾効果は高いものとなる。
【００１３】  図３は他の実施形態の発光構成を示す部分構成図である。このものでは、スイッチ６内にＬＥＤ３０よりなる光源を設け、このＬＥＤ３０の発光をコード４に露呈状態に一体に装着された光ファイバー４０内を通過させ、かつ、イヤホン本体３のレンズ部４２に至らす構成としている。このような構成により、スイッチ６からイヤホン本体３にいたるコード４の全体が発光し、かつ、イヤホン本体３の一部が発光するようになっている。
【図面の簡単な説明】
【００１４】
【図１】  この考案のイヤホンの外観構成図
【図２】  この考案のイヤホンのＬＥＤ配線構成図
【図３】  この考案のイヤホンの他の実施形態の要部構成図
【符号の説明】
【００１５】１  イヤホン
３  イヤホン本体
４  コード
８  コネクタ
１０  発光部
１１  発光部
【図１】
0003149821.tif 000003
【図２】
0003149821.tif 000004
【図３】
0003149821.tif 000005
(57)【要約】【課題】  再帰性反射布のコストを抑え、ライン状の反射光を、後加工において服に容易に取り付けられる反射材付きの衣服を提供すること。【解決手段】  ３つ以上の再帰性反射片５が衣服の表面に取り付けられる。隣り合う再帰性反射片５に外接する外接円の中心間距離が、当該外接円の半径Ｒに対して２．５倍以下の距離で取り付けられている。光を受けた際、直線状に配置された再帰性反射片５が、一つに纏まったライン状のように認識される。【選択図】図１
0003149261.tif 000002
【実用新案登録請求の範囲】
【請求項１】
３つ以上の再帰性反射片が少なくとも直線状に、かつ隣り合う複数の再帰性反射片に外接する外接円の中心間距離が、当該外接円の半径Ｒに対して２．５倍以下の距離で衣服の表面に取り付けられたことを特徴とする反射材付き衣服。
【請求項２】
請求項１の反射材付き衣服において、前記再帰性反射片は、互いに同一正方形形状であることを特徴とする反射材付き衣服。
【考案の詳細な説明】
【技術分野】
【０００１】
本考案は、反射材付きの衣服に関する。
【背景技術】
【０００２】
夜間や暗所での作業員の存在を示すために、視認性を上げるべく再帰性反射材などを服に縫合したり、反射ベストを着用する等、対策品が加工、販売されている。一方、完成品（既製品）への再帰性反射材を後加工にて加工を施すことが、例えば、特許文献１により知られている。この文献では、反射テープを任意の形状に切断加工して、溶着して衣料に取り付けることにより、反射を利用してデザイン性を向上させている。安全性の観点からすれば、文献のようなスポット的な反射ではなく、人間の存在を視認させるためにライン状の反射光とすることが望ましい。このためには、反射テープを接着もしくは縫製することが必要となる。
【０００３】
しかし、既製商品への後加工として反射材を縫合したりするには場所が制限される。例えば、完成品へライン状の反射テープを接着する場合、縫製の接合で幾重にも重なった部分には完全接着が出来ず、また接着出来たとしても剥離が起き易い。また、袖等は袖口からある程度の位置でなければミシン針が届かないという問題がある。
【先行技術文献】
【特許文献】
【０００４】
【特許文献１】登録実用新案第３０７４８９９号公報
【考案の概要】
【考案が解決しようとする課題】
【０００５】
本考案は、かかる問題点を解決し、反射材を容易に採用出来る反射材付きの衣服を提供するものである。
【課題を解決するための手段】
【０００６】
前記課題を解決するため本考案は、３つ以上の再帰性反射片が少なくとも直線状に、かつ隣り合う複数の再帰性反射片に外接する外接円の中心間距離が、当該外接円の半径Ｒに対して２．５倍以下の距離で衣服の表面に取り付けられたことを特徴とする。
【考案の効果】
【０００７】
本考案は上記のごとく構成され、様々な加工品、例えば一枚ものの製品や中綿を入れたり裏地がついた防寒着、伸縮性の高いニット製品などへ、再帰性反射材を施すことが容易に行われ、剥離等の問題を軽減することが出来る。そして、複数の反射片をライン状に配置する際、隣り合う反射片の間隔をその反射片の外接円の直径の２分の１以下とした場合には、それらの反射片が１つの反射テープであるように見える反射効果が得られ、テープ状の反射材と比較してコストを抑えることもできる。
【図面の簡単な説明】
【０００８】
【図１】本考案に係る衣服の正面図である。
【図２】図１の背面図である。
【図３】反射片の配置説明図である。
【考案を実施するための形態】
【０００９】
以下、図面に示す実施の形態について説明する。図１は本考案に係る衣服の正面図、図２は図１の背面図である。
【００１０】
本実施例の衣服１は、シャツであり、２は前身頃、３は後身頃、４は袖である。前身頃２及び後身頃３の脇、後身頃３の襟ぐり、袖４の袖口に複数の再帰性反射片５を配置し、接着又は縫製により衣服１の表面に3つの又は４つ直線状に取付けている。尚、前後の襟ぐりの再帰性反射片５は、衣服１を着用した際に、横方向から直線状に４つ連続した状態となる。
【００１１】
再帰性反射片５は、衣料用の再帰性反射布を使用し、一辺３ｃｍの正方形形状の同一形状に切り出す。本実施例においては、再帰性反射片５は正方形であるが、長方形または直角三角形としても良い。正方形又は長方形、直角三角形形状に切り出した後に、菱形、丸、楕円など様々な形状に加工を施し、また、これらの組み合わせを利用しても良い。しかし、再帰性反射布の原反は長方形形状であるので、正方形、長方形又は直角三角形の形状の方が切り出した際に、端切れとして失う再帰性反射布を少なくでき材料損失が少ないという利点がある。
【００１２】
図３は、再帰性反射片５の配置説明図である。材料の損失を少なくした上で、再帰性反射片５の外接円に対する再帰性反射布の部分の面積比率が高くなるのは、再帰性反射片５が正方形形状の場合である。図示例に於いては、３個の正方形形状の再帰性反射片５を直線状に配置している。この正方形に外接する外接円Ｃの半径Ｒに対して、隣り合う再帰性反射片５の外接円の中心間距離Ｄを、２．５倍のＲ以下とする。これ以上離れると再帰性反射片５は、離散的に見えて纏まりが無くなる。本実施例においては、中心間距離Ｄを４．５ｃｍとした。再帰性反射片５の形状として、正方形以外の形状を利用する場合には、外接円に対する再帰性反射布の存在比率が下がるため、外接円中心間の距離をさらに短く設定する。また、外接円の半径が異なる再帰性反射片５を利用する場合には、小さい外接円の半径の１．５倍に大きな外接円の半径を足した距離以下にする。本例では、再帰性反射片５を３つ直線状に並べた例であるが、３つより多くの再帰性反射片５を直線状に並べた場合又は、これらを左右に並べてマトリックス状として面を構成した場合であっても、隣り合う再帰性反射片５の外接円の中心間距離については同様である。
【００１３】
３ｍ以上離れた場合、夜間において車のライトに対して、３つ以上の再帰性反射片からの反射光が１つの連続したラインであるとして認識できる。これにより、十分な反射効果が得られ、テープ状の反射材を使用した場合と比較してコストを抑えることもできる。異なる大きさ、形状の再帰性反射片５を並べる場合、または／及びこれらの外接円の大きさが大きく異なる場合には、並べたときにライン状に見えないため、外接円の半径の大きさは大きくても小さいものと大きいものの差は２倍の範囲内に収めておく。
【００１４】
本実施例によれば、ライン状の反射光を得るのに再帰性反射布を小片の再帰性反射片５に分割しているので、縫製の接合で幾重にも重なった部分に重ならないように再帰性反射片５を配置することができ、縫製の接合部分に接着した場合に、剥離が起き易いという問題が解消する。また、接着する場合も剥離が起きやすい箇所を避けて貼り付けることができる。
【００１５】
本実施例では、衣服としてシャツを示したが、中綿を入れ、又は裏地がついた防寒着、伸縮性の高いニット製品の他、ズボン等の下衣にも適用出来る。
【符号の説明】
【００１６】
１  衣服
２  前身頃
３  後身頃
４  袖
５  反射片
【図１】
0003149261.tif 000003
【図２】
0003149261.tif 000004
【図３】
0003149261.tif 000005
(57)【要約】      （修正有）【課題】黒豆、大豆や小豆など玉状の物品の表面検査あるいは選別装置において、被検体をベルト上で全面回転させることで、選別作業が一回ですむ効率的な豆の全面回転移行装置を提供する。【解決手段】スベリ難い樹脂のロール１を一方向に回転させ、このロールの上部にゴムベルト２をロールと平行に２本張り同方向に回転させ、ロールとベルトの間に豆３を連続的に乗せ回転しながら移行さす。ロールの長さ約２５ｃｍ間に豆が２〜３回全面回転しながら移行するのでこの間に不良なものを２本爪のはね棒で除去すると下の受け皿に溜まりある量になると自動的に傾き下のコンテナーに入るよう構成する。【選択図】図１
0003149234.tif 000002
【実用新案登録請求の範囲】
【請求項１】
回転する直径４センチほどのすべり抵抗のある樹脂ロールと、このロールの上部の両側に離して直径８ｍｍほどのゴムベルトをロールと平行に同時に回転させ、ロールとゴムベルトの間に乗った豆が全面回転移行する装置。
【考案の詳細な説明】
【技術分野】
【０００１】本考案は黒豆、大豆、小豆などの玉の様なものを全面回転させながら移動させ不良品を選りだすための装置です
【背景技術】
【０００２】一方向のみの回転のものはありますが全面回転するものはありません。
【考案の開示】
【考案が解決しようとする課題】
【０００３】一方向回転で、一人作業ではどうしても死角が出来、不良品を見落とす。
これを解決する為全面回転を考案した。機械の規模、操作から一人作業となる
【課題を解決するための手段】
【０００４】死角により見逃すのを無くすために、メインのロールを回転、このロールと平行の上部の両側のゴムベルトをロールと平行に回転させて、豆を全面回転しながら移行させ不良品を完全に選りだす。
【考案の効果】
【０００５】この装置だと一回の作業で完全に選れるので能率は良い。
【考案を実施するための最良の形態】
【０００６】豆を完全にスムースに回転と移行さす為、また長期に使用できるようにロール材質、大きさ、回転速度（微調整）またゴムベルトの位置と張りの調整装置をつける、ベルトの回転はロールと連係している、人の個人差は微調整で行う。
【実施例】
【０００７】以下添付図面に従って実施例を説明する
１はスベリ難い樹脂のロールで一方向に回転さす、このロールの上部に２のゴムベルトをロールと平行に２本張り同方向に回転さす、ロールとベルトの間に豆を連続的に乗せ回転しながら移行さす。ロールの長さ約２５ｃｍ間に豆が２〜３回全面回転しながら移行するのでこの間に不良なものを２本爪のはね棒で除去すると下の受け皿に溜まりある量になると自動的に傾き下のコンテナーに入る。
【産業上の利用可能性】
【０００８】一方向のみ回転の物はあるがどうしても見落としが出来非能率であった、この装置の使用でメリットは十分あると考える。
【図面の簡単な説明】
【０００９】
【図１】本考案の豆の全面回転移行装置の平面図と断面図である。
【符号の説明】
【００１０】１  ロール
２  丸型ゴムベルト
３  豆
【図１】
0003149234.tif 000003
(57)【要約】      （修正有）【課題】望ましい人格形成の為に最も情緒の安定が必要とされる乳幼児期に、心を育んでいける手づくりおもちゃを提供する。【解決手段】乳幼児が遊ぶ際、危険のないように柔らかいタオル地を用いて直径１０センチ程の丸もち型に縫製し、中に綿を入れ膨らみをもたせた。丸い面の片方には、食べものや動物など子どもが親しみやすい絵柄をカラフルなフェルト布などで縫い付け、布カルタのように仕上げた。【選択図】図１
0003149231.tif 000002
【実用新案登録請求の範囲】
表面に、子どもが親しみやすい絵柄をカラフルなフェルト布などで縫い付け、手に持つとプニョっと優しい感触を楽しむことのできる、丸もち型手づくりおもちゃ。
【考案の詳細な説明】
【０００１】  本考案は、望ましい人格形成の為に最も情緒の安定が必要とされる乳幼児期に、心を育んでいける手づくりおもちゃに関するものである。
【技術背景】
【０００２】  手づくりのおもちゃに限らず、既成のおもちゃの中にも子どもの健全な育成に有効なものは多いが、手づくりならではの優しさや温もりという点においては、十分ではないと思う。
【考案の開示】
【考案が解決しようとする課題】
【０００３】  三つ子の魂百までといわれる程、乳幼児期の過ごし方は重要であると考えられている。その為、子どもをとりまく人的な環境は勿論のこと、物的な環境の一つである玩具についても、配慮が必要になってくると思う。既成のおもちゃだけでなく、優しさや温もりのあるおもちゃをプラスする事で、乳幼児の情緒面の安定が図られるよう手助けしていく。
【課題を解決するための手段】
【０００４】  本考案は、乳幼児が放り投げたり、口にしても危険のないように、柔らかいタオル地を用いて直径１０センチ程の丸もち型に縫製し、中に綿を入れ膨らみをもたせた。丸い面の片方には、食べものや動物など子どもが親しみやすい絵柄をカラフルなフェルト布などで縫い付け、布カルタのように仕上げた。
【考案の結果】
【０００５】  １）、コットンやフェルト布などに触れ、その優しい感触を楽しむことで、穏やかな心を育んでいく事ができる。また大人と一緒に遊ぶことで、言葉を覚えていくこともできる。
２）、乳幼児だけでなく、お年寄りの方にも見て触れてもらうことで、脳への刺激となる。
【考案を実施するための最良の形態】
【０００６】
【実施例】
【０００７】  触る、投げる、積み上げるなどいろいろなあそび方を楽しむ。
【図面の簡単な説明】
【０００８】
【図１】本考案を真上から見た図
【図２】本考案を真横から見た図
【図３】本考案の斜視図
【符号の説明】
【０００９】    １  カラフルなフェルト布
２  縫い目
【図１】
0003149231.tif 000003
【図２】
0003149231.tif 000004
【図３】
0003149231.tif 000005
(57)【要約】      （修正有）【課題】使用時のズレや落下を防止する為に、一対の穴を穿孔しその穴にＵピンやゴム紐を通すことによって、髪にしっかりと固定出来るようにした櫛形髪飾りを提供する。【解決手段】櫛形髪飾りの数箇所に一対の穴２を穿孔する事により、その穴にＵピンやゴム紐を通す事を可能にする事で、櫛形髪飾り本体櫛部分１のみで髪に固定した場合に比べ、髪としっかり固定し、ズレや落下を防止する事が出来る。【選択図】図１
0003149237.tif 000002
【実用新案登録請求の範囲】
【請求項１】
櫛形髪飾りに縦長の一対の穴を数箇所穿孔し、Ｕピンやゴム紐を通して利用することで、髪飾りが髪にしっかりと固定され、落下やズレを防止することを特徴とする、穴付の櫛形髪飾り。
【考案の詳細な説明】
【技術分野】
【０００１】  本考案は、落下防止目的の穴を設けた、櫛形髪飾りに関するものである。
【背景技術】
【０００２】  従来の櫛形髪飾りは、髪を結いそれに櫛部分を突き刺しただけの状態で使用する為、しっかりと髪に固定されていない為、ズレたり落下したりする事がある。特にこの形の髪飾りは舞踏などをする場合に使われることも多く、激しい動きをした場合にも髪から落下しない櫛形髪飾りを提供したい。
【考案の開示】
【考案が解決しようとする課題】
【０００３】  髪にしっかりと櫛形髪飾りが固定されていない事で、舞踏など激しい動きをした時に、ズレたり落下したりするという問題点があった。そのような不具合を防止する櫛形髪飾りを提供するものである。
【課題を解決するための手段】
【０００４】  本考案は、櫛形髪飾りに一対の穴を数箇所穿孔し、その穴にＵピンやゴム紐を通して、髪にしっかりと固定する事が出来るようにする。
【考案の効果】
【０００５】  本考案の穿孔をする事により、Ｕピンやゴム紐の利用を簡単にし、櫛形髪飾りの髪への固定をよりしっかりと出来るようになる為、使用中に舞踏をしたり激しく動いたりしても、髪からズレたり落下したりする事を防止することが出来る。
【考案を実施するための最良の形態】
【０００６】  落下防止目的の穴は櫛形髪飾りの櫛の足の付け根部分付近に穿孔することで、髪への固定がより安定し、目立たないので見栄えも悪くならない。【０００７】  穿孔の箇所は、櫛形髪飾りの大きさや重さにより追加する事で、より安定する。【０００８】  穿孔の形状は縦長にしておくことで、Ｕピンを通して使用する際に、Ｕピンの角度を自由に変えることが出来て便利である。
【実施例】
【０００９】  舞踏用などの装飾部分の大きな櫛形髪飾りに特に有効で、この穴を設けていることで従来のものに比べてＵピンやゴム紐での固定や髪へのしっかりとした固定がしやすくなり、激しい動きでの落下防止が可能になる。
【図面の簡単な説明】
【００１０】
【図１】櫛形髪飾りを正面から見た図である。
【図２】（ａ）はＵピンを使用する場合の横から見た図。（ｂ）はゴム紐を使用する場合の横から見た図。
【符号の説明】
【００１１】１櫛形髪飾り本体の櫛部分
２一対の穿孔部分
３Ｕピン
４ゴム紐
【図１】
0003149237.tif 000003
【図２】
0003149237.tif 000004
(57)【要約】      （修正有）【課題】メガネの本来の役目と血液の流れの悪い所（ツボ）を刺激する健康器具を提供する。【解決の手段】メガネのフレームの鼻受け部分に磁石をうめ込むことにより、メガネの本来の役目と血行の促進を助ける効果が期待される。また、血行の悪い所（ツボ）を刺激し、鼻水の防止、鼻づまり、頭痛などの解消が期待される。はずれることなく、移動することもなく、常にツボを的確に刺激する効果が期待される。【選択図】図２
0003149238.tif 000002
【実用新案登録請求の範囲】
【請求項１】
メガネのフレームの鼻受け部分に磁石をうめ込むことにより、メガネの本来の役目と磁石が移動することなく血液の流れの悪い所（ツボ）に刺激する健康器具商品。
【考案の詳細な説明】
【技術分野】
【０００１】  本考案は、メガネのフレームの鼻受け部分に磁石を、取り付けたメガネに関するもの。
【背景技術】
【０００２】  通常は、磁石を鼻、又はこめかみなどの血行の悪いツボに直接テープで貼る。
【考案の開示】
【考案が解決しようとする課題】
【０００３】  今までは血液の流れの悪い場所（ツボ）に磁石をテープにて貼っていたが、メガネに取りつけることにより、磁石のズレ、ゆがみが出来ず、テープの跡を気にすることがない。
【課題を解決するための手段】
【０００４】  本考案は、メガネのフレームの鼻受け部分に磁石をうめ込むことにより、メガネの本来の役目と血行の促進を助ける効果が期待される。
【考案の効果】
【０００５】  メガネのフレームの鼻受け部分に磁石をうめ込むことにより、血行の悪い所（ツボ）を刺激し、鼻水の防止、鼻づまり、頭痛などの解消が期待される。
【考案の実施するための最良の形態】
【０００６】  メガネのフレームの鼻受け部分に磁石をうめ込むことにより、はずれることなく、移動することもなく、常にツボを刺激する効果が期待される。
【実施例】
【０００７】  以下、図面に従って説明します。
（図１）はメガネの正面の全体図で、２の部分に磁石のサイズに合わせ穴を作り、磁石をうめ込む。
（図２）の１ａ，２ａは磁石の位置。
【図面の簡単な説明】
【０００８】
【図１】本考案の磁石付メガネの正面図。
【図２】磁石をうめ込む部分の図面。
【符号の説明】
【０００９】１  メガネ本体
２  鼻かけ部分
３  レンズ
４  フレーム
【図１】
0003149238.tif 000003
【図２】
0003149238.tif 000004
(57)【要約】      （修正有）【課題】隙間から熱が逃げることがなく、より効率のよい下半身暖房用具を提供する。【解決手段】長さが約２．２メートル、幅が約１メートルの厚手の電気毛布を半分に折りたたみ、両端を閉じ袋状にし、熱を逃しにくくした。その袋の中に下半身を入れると、熱源が身体近くにあるため、素早く、少ない電力で温まる。移動も容易である。また、両端を閉じる際にファスナーを用いることにより、着脱を容易にした。【選択図】図１
0003149220.tif 000002
【実用新案登録請求の範囲】
【請求項１】
電気毛布を折りたたみ、両端を閉じ、袋状にした暖房用具
【請求項２】
電気毛布を折りたたみ、両端を閉じる際に、その一部または全部にファスナーを利用して袋状にした下半身暖房用具
【考案の詳細な説明】
【技術分野】
【０００１】  本考案は、電気毛布の両端を閉じて、袋状にした下半身暖房用具に関するものである。
【背景技術】
【０００２】  従来下半身を暖めるためには、こたつ、ひざ掛け、足温器が用いられてきた。
【考案の開示】
【考案が解決しようとする課題】
【０００３】  従来の電気ひざ掛け、足温器で暖を取ろうとすると、隙間から熱が逃げ出し、効率がよくない。電気こたつは消費電力が少なくなく、暖まるまでに少し時間がかかる。
【課題を解決するための手段】
【０００４】  本考案は電気毛布の長い方を折りたたみ、両端を閉じ袋状にし、その袋の中に下半身を入れて暖を取るようにして、上記の課題を解決している。さらに、着脱を容易にするために、両端を閉じる際に、その一部または全部にファスナーを用いることにした。
【考案の効果】
【０００５】  電気毛布の両端を閉じ、袋状にすることにより、逃れる熱を少なくすることができる。また、熱源が身体と近いために、こたつよりも素早く身体を暖め、少ない電力で済む。座り方、長さによっては、尻はもちろん、腰までも暖めることができる。移動も簡単。また、両端につけたファスナーは着脱をたやすくしている。
【考案を実施するための最良の形態】
【０００６】  半分に折りたたんだときに、上側をひざ掛けとし、下側を尻の下に敷けるように、片側の長さが約１．１メートル、したがって、全体の長さが約２．２メートル、幅が約１メートルの厚手の毛布に熱源となる線を通し、電気毛布をつくり、長い方の中央で折りたたみ、その両端を閉じ、袋状にする。その際、一部または全部にファスナーを用いる。【０００７】  下半身を上記の袋の中に入れて使うとき、足に当たる部分の熱源コイル設置間隔をやや狭める。【０００８】  尻の下に敷く部分など重力がかかる部分の熱源コイルの保護をより強力にする。【０００９】  温度調節は多段階にする。【００１０】  本考案を椅子などに固定するための紐、または紐を通す輪または穴を下側になる毛布の上端につける。【００１１】  毛布にはカバーを止めるための、また、熱を逃さないためのマジックテープを付ける。【００１２】  本考案の熱効率を高め、汚れを防止するために、マジックテープの付いたカバーを備える。
【実施例】
【００１３】  腰掛けて用いたときにも腰まで覆うことができるよう、全長約２．８メートルにする。【００１４】  腰掛けて用いたとき、毛布の下側の長さは、膝後ろまでに止め、そこまでが袋状、上側だけ腹まで伸ばす。図３。【００１５】  本考案に薄手の毛布を用い、カバーに厚手のものを用いる。【００１６】  本考案の毛布のかわりに、キルティングなどつめ綿をしたものを用いる。
【図面の簡単な説明】
【００１７】
【図１】半分に折りたたんだときひざ掛けとなる上側の毛布の上端を少しめくった図である。
【図２】半分に折りたたんだときひざ掛けとなる上側の毛布の方から見た図
【図３】実施例（００１４）を下側から見た図
【符号の説明】
【００１７】１  ファスナー
２  マジックテープ
３  ひも
４  上側裏面
【図１】
0003149220.tif 000003
【図２】
0003149220.tif 000004
【図３】
0003149220.tif 000005
(57)【要約】      （修正有）【課題】小物、貴重品等を入れられるポケットを付けたタオルを提供する。【解決手段】タオルにポケットを付けている。タオルは、タオル地を使用し、ポケットの周りを縫い合わせ、一箇所をマジックテープまたは、ファスナー（チャック）で止められるようにして、タオルのポケットから入れた物が外に落ちないようにする。さらに、ポケットの中に水の浸入を防ぐビニール等を縫いこんで、濡れるのを防ぐポケットも作る。【選択図】図１
0003149218.tif 000002
【実用新案登録請求の範囲】
【請求項１】
細長いタオル、フェイスタオル、バスタオルと名前のあるタオルに、直接ポケットを縫い付け、タオルにポケットが付いた形状でのタオル用具。
【考案の詳細な説明】
【技術分野】
【０００１】  本考案は、運動時や日常に使用するタオルに関する。
【背景技術】
【０００２】  従来のタオルには、物を入れる場所がなく、タオルとバックは別物であった。
【考案の開示】
【考案が解決しようとする課題】
【０００３】  しかし、これでは、タオルにはタオルという機能しかなく、顔を洗った時に拭く。汗を拭く。入浴時に使う。首にかける。用途としては様々ではあるが、ランニング姿でポケットのない服装の時等に、小銭等の貴重品を入れておく場所がなく不便である。また、小銭を持つ為にはバック、またはお財布を持たなければならなかった。
【課題を解決するための手段】
【０００４】  そこで、タオル地の四隅、角、真ん中、タオル内のどこにでもポケットを付けて多様化できるように考案した。ただし、一本のタオルにバッグのようにたくさんの物を入れるのではなく、小物、貴重品等を入れられるポケットを付けます。
【考案の効果】
【０００５】  よって、本考案のマジックタオルにより、タオルの中にポケットがあるので、散歩や運動時等にタオルの中に貴重品等を入れておけるので、ポケットのないランニング姿等の軽装時でもタオルを一本持てば、安心して出かけることができる。
【考案を実施するための最良の形態】
【０００６】  本考案に係るマジックタオルは、図１に示すように、タオルにポケットを付けている。タオルは、タオル地を使用し、ポケットの周りを縫い合わせ、一箇所をマジックテープまたは、ファスナー（チャック）で止められるようにして、タオルのポケットから入れた物が外に落ちないようにします。さらに、ポケットの中に水の浸入を防ぐビニール等を縫いこんで、濡れるのを防ぐポケットも作ります。
【図面の簡単な説明】
【０００７】
【図１】  本考案に係るマジックタオルに、ポケットを縫い付けマジックテープまたは、ファスナー（チャック）で止めた状態の図である。
【符号の説明】
【０００８】  １          タオル
２          ポケット
Ｎ          ポケットを縫い付けた部分
３          マジックテープまたは、ファスナー（チャック）
【図１】
0003149218.tif 000003